(57)【特許請求の範囲】
【請求項１】
必要な有効成分を含む流体又は粒状物を空中で標的に送出する方法であって、
前記殻で覆われた部分の選択されたタイプ及びサイズに基づき、及びさらに前記標的を含む現場の任務パラメータと自然データに基づき、該殻で覆われた部分の送出地点を、コンピュータを使用して計算することと、
前記任務パラメータと前記自然データに基づき、前記殻で覆われた部分を前記送出地点に輸送手段を介して搬送することと、
前記殻で覆われた部分を前記輸送手段から前記標的に弾道送出することと、
を備え、
前記殻で覆われた部分は、それぞれの重さが１００〜３００グラムであり、生物分解性材料により作られる柔軟な殻により覆われる流体又は粒状物を備えることを特徴とする方法。
【請求項２】
前記標的を含む現場と関連する前記自然データを１つ以上の原因から得ることをさらに含み、少なくとも幾つかの原因はお互いに独立している
請求項１に記載の方法。
【請求項３】
前記殻で覆われた部分は、サイズ及び重さが同種である請求項１に記載の方法。
【請求項４】
前記殻で覆われた部分の前記標的への搬送を、所定時間において前記殻で覆われた部分の衝突領域を予測する光学的標的手段を使用して行う請求項１に記載の方法。
【請求項５】
前記殻で覆われた部分は、前記標的に衝突する前に砕ける又は開かれ、前記標的との衝突の前に前記有効成分の少なくとも幾つかを放出する請求項１に記載の方法。
【請求項６】
前記殻で覆われた部分は、回転力により、前記標的に命中することで又はその命中の前に相互に作用し合うように設けられる二つ以上の物質を含んでいる請求項１に記載の方法。
【請求項７】
前記殻で覆われた部分は二つ以上の物質を含み、該二つ以上の物質の一つは前記標的に衝突することで又はその衝突の前に、ガス状物質を生成又は泡立つように設けられている請求項１に記載の方法。
【請求項８】
いろいろなタイプの複数の殻で覆われた部分を備え、ディスペンサーにおいて、前記空中輸送手段に積載される請求項１に記載の方法。
【請求項９】
前記殻で覆われた部分の弾道送出は、該殻で覆われた部分を含むコンベヤーと容器を備えるディスペンサーを使用して行われ、該ディスペンサーは前記コンベヤーに沿って前記容器を加速し、その後、該容器を完全且つ突然に停止させ、該殻で覆われた部分を該容器から弾道させることにより行われる請求項１に記載の方法。
【請求項１０】
前記殻で覆われた部分のそれぞれは、前記殻を通る孔と、前記弾道送出中に該殻で覆われた部分が増加する角速度でそれらの長軸の周りを回転して該殻で覆われた部分から前記流体が出るように設計された該殻の一端部に配置された傾斜フィンと、を備える請求項１に記載の方法。
【発明の詳細な説明】
【技術分野】
【０００１】
本発明は、有効成分を含む流体又は粒状物の殻で覆われた部分を空中で標的に送出する方法に関する。
【背景技術】
【０００２】
今日、空中輸送手段は流体及び粒状物を空中から送出する各種の飛行任務で使用されている。幾つかの場合、空中からの送出は限定されるアクセス又は短時間で大領域をカバーする空中送出の効率性のいずれかの理由からの選択に限られる。そのような被項のための非限定的な例は、除草剤及び農薬を使用するのと同様に、消火、施肥、原子炉冷却を含んでいる。
【発明の概要】
【発明が解決しようとする課題】
【０００３】
流体及び粒状物の送出における主な課題は、それらの粒子状の性質のため、それらの材料が空気抵抗により非常に影響を受けやすいことである。特に、流体の大部分は風によって吹き流される煙霧質に変化し、地上又はその上方の標的に届かない。煙霧質はまた空中輸送手段又はそれに乗っている人々又は地上の人々に影響を与える。流体が有害な成分を含んでいる場合には、煙霧質又は他の浮遊性の粒子が健康問題を引き起こしたり或いは空中輸送手段を害したりすることがある。固体の粒状物は同様の制限を受け、それらが煙霧質に変化している間、それらの空気抵抗が十分に高く、それらの弾道特性を損なう。
【０００４】
上記した煙霧質の影響を避けるため、今日、空中飛行は低い高度（地上１００フィート以下）で行われている。そのような飛行姿勢は非常に危険であり、特別な飛行機及び特別な操縦技術を要求される。それらの高い要求のため、現在の空中飛行は昼間だけ行われ、夜間、又は強風、及び煙、霧又は埃のような低視度状態ではまったく中止される。
【０００５】
図１は、空中から地上の木のような標的２０の方に流体４０を放出する空中輸送手段１０の概略図である。上記空気抵抗のため、流体の一部分５０は流体４０の大部分から切り取られ、流体４０の他の部分は煙霧質６０に変わる。煙霧質がその弾道特性を失った場合にはそれは非常に困難になり、そうでない場合には地面３０又は標的２０に有効な量の流体を送出するのは不可能となる。上記した問題は、空中輸送手段１０が空中により高く飛行している時には益々難しくなる。
【課題を解決するための手段】
【０００６】
本発明は、有効成分を含む流体又は粒状物の殻で覆われた部分を空中で標的に送出する方法を実行するシステムであって、前記殻で覆われた部分の選択されたタイプに基づき、及びさらに該殻で覆われた部分の弾道軌道に影響を及ぼす任務パラメータと自然データに基づき、該殻で覆われた部分の送出地点を計算するように構成されたコンピュータと、前記殻で覆われた部分を前記送出地点に搬送するように構成される空中輸送手段と、前記殻で覆われた部分を前記標的に分配するように構成されるディスペンサーと、を備え、前記殻で覆われた部分は、柔軟な生物分解性材料又は堆肥材料により作られる殻により覆われる、重さが１００〜３００グラムの流体又は粒状物を備え、同じタイプの殻で覆われた部分は、サイズ、形状、及び重さが同種であることを特徴とする。
【０００７】
また、本発明は、有効成分を含む流体又は粒状物の殻で覆われた部分を空中で標的に送出する方法であって、前記殻で覆われた部分の選択されたタイプ及びサイズに基づき、及びさらに該殻で覆われた部分の弾道軌道に影響を及ぼす任務パラメータと自然データに基づき、該殻で覆われた部分の送出地点を、コンピュータを使用して計算することと、前記殻で覆われた部分を前記送出地点に空中輸送手段を介して搬送することと、前記殻で覆われた部分を前記標的にディスペンサーを使用して分配することと、を備え、前記殻で覆われた部分は、柔軟な生物分解性材料又は堆肥材料により作られる殻により覆われる、重さが１００〜３００グラムの流体又は粒状物を備え、同じタイプの殻で覆われた部分は、サイズ、形状、及び重さが同種であることを特徴とする。
【０００８】
本発明のこれらのさらなる及び又は他の特徴及び又は利点は、詳細な説明に示されており、詳細な説明から推測可能、及び又は本発明の実施により学ぶことができる。
【図面の簡単な説明】
【０００９】
本発明は添付図面を参照して実施形態の詳細な説明からより容易に理解できるであろう。
【図１】従来技術による空中からの流体の送出を示す概略図である。
【図２】本発明の一実施形態による空中からの流体及び粒状物の送出を示す概略図である。
【図３】本発明の一実施形態による流体又は粒状物の殻で覆われた部分の幾つかの非限定的な例を示す断面図である。
【図４】本発明の一実施形態による一つの特徴を示す概略図である。
【図５】本発明の一実施形態による一つの特徴を示す概略図である。
【図６】本発明の一実施形態による方法を示す高レベルのフローチャートである。
【図７】本発明の一実施形態による流体及び粒状物の殻で覆われた部分の空中ディスペンサーの一実施例を示す概略図である。
【図８】本発明の一実施形態による一実施例を示す概略図である。
【図９】本発明の一実施形態による殻で覆われた部分のさらに別の実施形態を示す概略図である。
【図１０】本発明の一実施形態によるディスペンサーを備えた空中輸送手段を示す概略図である。
【図１１】本発明の一実施形態によるディスペンサーを備えた陸上輸送手段を示す概略図である。
【発明を実施するための形態】
【００１０】
詳細な説明を述べる前に、以下で使用される用語の定義を説明することが有用であろう。
【００１１】
ここで使用される「殻で覆われた部分」という用語は、殻により包まれる流体、粉末又は顆粒のいずれかの形の有効物質の物を言い、好ましくは、殻により包まれていない有効物質又は他の材料の同様な物の弾道率より非常に高い弾道率により特徴付けられる可撓性を有する殻であるが、必ずしもこれに限定されるものではない。殻で覆われた部分は、これらの殻で覆われた部分の空中送出の反復性に寄与する弾道特性を保持するように、サイズ、形状及び重量において似るように製造される。これらの殻で覆われた部分はそれぞれ約１００〜３００グラムの重さを有している。重さに制限を付けることは、提案された殻で覆われた部分が人間又は動物と衝突することで致命的にならないことに起因する。本発明の少なくとも一つの実施形態を詳細に説明する前に、本発明が以下の説明又は図面に示された構造及び構成の配置の詳細にその適用を限定されるものではないことは理解されるべきである。本発明は各種方法で実施又は事項される他の実施形態に適用可能である。また、ここに使用される語句及び用語が説明の目的のためであり、限定としてみなされるべきでないことも理解されるべきである。
【００１２】
図２は、地上３０の木のような標的２０の方に空中から流体又は粒状物のいずれかの殻で覆われた部分１００の積荷を放出する空中輸送手段の概略図である。図示されているように、殻で覆われた部分１００はそれらの弾道特性を維持するのに十分なサイズとなるように選択される。これらの殻で覆われた部分の実際のサイズは、これらの殻で覆われた部分が放出される高さと、天候状態と、流体又は粒状物の送出目的とに非常に相関関係を有している。０．５ｃｍの直径は低高度の飛行（数十メートル）にとって妥当であるのに対して、数ｃｍの直径を有する殻で覆われた部分はより高高度（１００メートル以上）の場合に必要とされるだろうことが分かる。上記した値は例示の目的のためであり、本発明を限定するものとみなされるべきではない。
【００１３】
本発明の実施形態によると、有効成分の殻で覆われた部分は、サイズ、重さ、及び包装材料を有する過飛行ベースで選択され、有害な衝突が考慮されるいかなる時も、それらが標的の人間又は物体への衝突により有害とならないようになっている。別の言い方をすると、標的の近く又は標的に人間又は物体が存在している場合に、殻で覆われた部分の選択と殻で覆われた部分の弾道送出の両方は殻で覆われた部分の有害な衝突を避けることを考慮して行われる。
【００１４】
本発明の実施形態によれば、殻で覆われた部分は、流体又は粒状物の散布の効果が標的又は標的上方の物体に命中することにより殻が裂けたり、開いたり、或いは壊れたりすることで達成されるように設計されている。
【００１５】
殻で覆われた部分の中身は特定の目的に基づき決定及び選択される。消火のためには、消火材料が使用される。農薬、除草剤、及び肥料は農業で使用される。殻は流体又は粒状物を単にアル形状に維持し、できる限り可撓性を有する材料により作られ、通常は球形であるが必ずしも球形に限定されない。
【００１６】
本発明の実施形態によれば、殻で覆われた部分１００の殻は、生物分解性の材料で、可能な限り堆肥材料により作られている。殻が堆肥材料となるように選択することにより、殻は、一旦標的に到達すると、二酸化炭素、水及びバイオマスに分解可能である。好ましくは、堆肥材料製の殻は毒性材料を作らず、堆肥は食物の寿命を維持することができる。幾つかの実施形態では、殻は、トウモロコシ、ジャガイモ、セルロース、醤油及び砂糖等の植物材料から作られてもよい。幾つかの実施形態では、殻は、それに独占されるものではないが、できる限り、堆肥材料の分解期間より短い期間である数週間に亘って自然に発生する微生物の動きを通して壊れる材料により作られている。
【００１７】
しかしながら、ポリエステル等を含むがそれに限定されるものではない、堆肥にできない他の材料もまた殻に使用可能であることが分かる。幾つかの実施形態では、殻のための材料の選択は、腐敗又は分解過程、又は燃焼において、有毒ガスや有毒煙のいずれも放出されない。腐敗処理は地上で発生し、地上の細菌によって促進されてもよい。
【００１８】
図３は本発明の幾つかの実施形態による流体又は粒状物の殻で覆われた部分の幾つかの非限定的な例の断面図を示している。殻で覆われた部分１１０Ａは標的での所望な効果に従って選択可能な殻１３０及び同種の流体１２０を含んでいる。殻で覆われた部分１１０Ｂは固体又は冷凍の流体又は氷スラリーのいずれかとすることのできる殻１３０及び粒状物１４０を含んでいる。冷凍の流体の場合、殻で覆われた部分１１０Ｂは他の効果に加えて標的を冷却するために使用されてもよい。例えば、氷で覆われた粒状物は殻内にしっかりと包まれ、地上の原子炉を冷却するために使用される。物１１０Ｃは一緒に加圧される粒状物の（殻のある又は殻のない）物を含んでいてもよい。（例えば、混合により）標的で又は回転力により標的に的中する前に、異なる効果が達成されるように、２以上の成分が組み合わせて使用されてもよい。さらに、包まれた殻内の少なくとも一つの物質は標的に衝突することによりガス状の物質又は泡を発生するように設けられてもよい。
【００１９】
幾つかの実施形態によると、殻で覆われた部分１１０Ｄは、殻１３０と、第２の粒状物１７０と一緒に集められる第１の粒状物１６０と、を含み、両方共に固体又は冷凍の流体のいずれかとすることができる。一実施形態において、第１の粒状物１６０は標的で膨張又はガス状の物質を発生してもよく、これにより、第２の粒状物１７０の増殖を促進する。
【００２０】
幾つかの実施形態によると、殻で覆われた部分１１０Ｅは、冷凍の流体及び別の流体又は内部に含まれる粒状物１９０の形となりうる殻１８０を含んでいる。殻は標的で崩壊又は蒸発する環境に優しい材料により作られてもよい。殻はまた、例えば所定時間後に崩壊された後に流体又は粒状物１９０が標的に当てられる殻のための材料を選択することにより、標的において時限の有効成分のために選択されてもよい。殻はまた標的に衝突する前に空中において静止している間に壊され又は開かれ、有効成分の放出が衝突の前に始まり、衝突が空の又はほとんど空の殻で行われる幾つかの場合となるように構成されてもよい。
【００２１】
幾つかの実施形態によると、殻で覆われた部分１１０Ｆは、殻１３０と、流体又は粒状物１２０と、を含み、その殻は立方体又はプリズムとして形成され、空気抵抗を犠牲にして包装がより簡単となるようになっている。
【００２２】
図４は本発明の幾つかの実施形態による一つの特徴を示す図である。殻で覆われた部分４３０の積荷を標的８０に向かって上方に送出する空中輸送手段７０が示されている。殻で覆われた部分４３０は空中輸送手段７０に料金徴収荷重として保管され、管４１０を介して送出される。殻で覆われた部分４３０は、それらが空中の一定の高さから（例えば、塔から又は圧力を使用して地上の管から）送出される限り、必ずしも空中輸送手段から送出される必要はないことは十分に理解される。
野火で燃やされた木又は草木に落下すると、殻は炎の上方約３０フィートで壊れ又は開放され、殻内の流体又は粒状物を標的に均等に分配する。
【００２３】
図５は本発明の幾つかの実施形態による一つの特徴を示す概略図である。殻で覆われた部分５２０の積載物の到達領域を制御するためにいかなる方向にも移動可能に構成されたスリーブ５１０を使用して殻で覆われた部分５２０の積載物を放出する空中輸送手段が示されている。殻で覆われた部分５２０を放出する他の各種方法が使用可能であることが分かる。
【００２４】
図６は本発明の幾つかの実施形態による方法を示す高レベルなフローチャートである。方法６００は各種の形状、サイズ、及び内容の上記した殻で覆われた部分の利点を有し、特定の殻で覆われた部分を標的上の現場の自然特性に基づき特定の飛行の要求に作り上げることのできる一般的な手順を説明する。流体又は粒状物を空中から送出する飛行は安全の制約と同様に送出地点の最適位置や時間的に考慮すべき問題等の異なる制限を負っている。したがって、方法６００は自然の現場のデータを得る段階で開始する。自然の現場のデータは、多くの原因、及び光学、熱、電磁気等のデータの種類から得られてもよい。その方法は、可能な限りその飛行を計画するユーザから任務パラメータ６２０を得る段階に進む。これらのパラメータは、例えば、必要な種類の有効成分、標的における有効物質の必要な密度、標的上の高度、標的への必要な時間を含み、可能な限り安全上の理由のためその物質を送出するための最小距離を含むこともある。そののち、損方法は、任務パラメータに基づき、必要な有効成分を含む殻で覆われた部分の種類及びサイズを選択する段階６２０に進む。その方法はその後、標的への必要な時間及び最小距離に基づき、有効物質の殻で覆われた部分を送出地点に運ぶ段階に進む。空中輸送手段を使用して送出する場合、送出地点は空中輸送手段が殻で覆われた部分を放出する所である。最後に、殻で覆われた部分は標的に向けて弾道送出６４０される。当業者によって認識されるように、方法６００の幾つかの段階はコンピュータで実行される方法又はコンピュータプログラム製品として具現化されてもよい。したがって、方法６００の幾つかの段階の特徴は、完全にハードウェアの実施形態、（ファームウェア、常駐ソフトウェア、マイクロコード等を含む）完全にソフトウェアの実施形態、又はソフトウェアとハードウェアを組み合わせた形態の形を取ってもよい。
【００２５】
前記送出は標的の上方の衝突高さで特定の足跡をもたらすような方法であってもよい。前記送出は殻で覆われた部分の密度及び分配形式に関して選択される各種分配方法で行われてもよい。したがって、前記足跡は送出の種類が行われる有効なメートル法である。
【００２６】
一旦、自然条件、特に殻で覆われた部分のサイズが一致すると、殻で覆われた部分の弾道送出の段階が自然に行われることが分かる。飛行を注意深く計画して殻で覆われた部分の適切な種類を選択することにより、特定の標的は必要なタイミングで有効成分の必要な量を届けられることがさらに分かる。前記選択及び前記計画は殻で覆われた部分の存在する種類に従って、さらに異なる分野で公知な最適化方法によって、最適化される。
【００２７】
本発明の実施形態によると、標的における殻で覆われた部分の足跡は制御可能であり、過飛行に基づき計画可能である。これは、殻で覆われた部分の送出の繰り返しのため、殻で覆われた部分の高い弾道率により上述したように達成される。この目的を達成するため、殻で覆われた部分はサイズ、形状及び重量が同種であってもよい。この一様性によって通常の種類のすべての殻で覆われた部分が同様の弾道性能となる。その後、動作において、送出地点における空中輸送手段の高度及び速度等の任務パラメータを選択することにより、標的における殻で覆われた部分の足跡は計画及び予測可能となる。
【００２８】
図７は本発明の幾つかの実施形態による流体及び粒状物の殻で覆われた部分の空中のディスペンサーの例を示す概略図である。空中のディスペンサー７１０は運び台７２０上に示されており、飛行機７３０Ａ内の断面及び飛行機７３０Ｂの平面で示されている。図示されているように、運び台７２０はさらなる調整を行なうことなくディスペンサー７１０を空中輸送手段に簡単に積載することができる。ディスペンサー７１０は可能な限りモジュラー部分７２０に挿入されるように形成及び構成され、殻で覆われた部分の容量が空中輸送手段の輸送能力と同様に計画された飛行に合うようになっている。幾つかの実施形態では、ディスペンサー７２０は約数分で標準の飛行機に入れられ、それにより、標準の飛行機を殻で覆われた部分の弾道送出を可能な飛行機に変える。現在の送出方法を守るため、ディスペンサー７１０は二重使用のために構成され、一つの構成では、ディスペンサーは伝統的な方法で流体の搬送及びそれらの送出を実行可能であり、別の構成では、ディスペンサーは本発明の殻で覆われた部分を送出するように構成されている。
【００２９】
さらに、本発明の幾つかの実施形態では、ディスペンサー７１０のモジュラー部分７２０は殻で覆われた部分の異なる種類をそれぞれ含んでいてもよい。ディスペンサー７１０は、単一の飛行、殻で覆われた部分１００の複数の種類で分配するようにさらに構成され、異なる種類の殻及び有効物質又は流体の選択が飛行で選択され、上述した方法の上記段階となるようになっている。この特徴はさらに本発明の実施形態の柔軟性を高める。
【００３０】
図８は本発明の幾つかの実施形態の一例を示す概略図である。この概略図は第１の部分８１０と第２の部分８２０を含む地上の動的な標的を示している。第１の部分８１０は（海洋における活発な火又は油漏れ等の）第１の種類の標的であり、第２の部分８２０は（それぞれ、火がすぐに燃え移る領域又は油漏れにより直ぐに汚染される領域等の）第２の種類の標的である。本発明の幾つかの実施形態では、単一飛行の間（飛行機が位置８００Ａに居る時に種類８３０の殻で覆われた部分は標的８１０のために使用され、飛行機が位置８００Ｂに居る時に種類８４０の殻で覆われた部分は標的８２０のために使用される）、適切な種類の殻及び有効物質を、上記したように異なる種類の標的に合うように作ることは可能であろう。この特徴は、単一飛行の状態のある期間に亘りそのサイズ及び自然を変える標的である動的な標的に対処する時に特に有利である。例えば、火８２０によりまだ覆われない領域には難燃材料が使用され、火８１０に既に覆われている領域には消火材料が使用される。
【００３１】
図９は本発明の幾つかの実施の形態に従って殻で覆われた部分のさらに別の例を示す概略図である。殻で覆われた部分（又は球粒）９００は中空長円体形状でここに示されており、その殻は孔９１０のような孔で開けられる。さらに球粒９００は球粒の一端に配置される幾つかのフィン９１２Ａ〜９１２Ｃを含んでおり、各フィンは球粒９００の長軸に沿って僅かに傾斜している（傾斜角度は例示のため図では誇張されている）。球粒９００のような球粒は、多数の球粒を一まとめにすると共に、有効物質を含む流体で満たされた容器内（例えば、ディスペンサー装置内）に沈めることにより、効果的且つ容易に流体で満たされる。その後、流体は孔を通って入る。球粒が静止位置にある時、（流体の特性にもよるが）十分に小さい孔を選択することで、流体の滴下は実質的に避けられる。運転中、球粒はディスペンサーから空中に弾道送出される。重力及びフィン９１２Ａ〜９１２Ｃにより、球粒９００は角速度を増加させてその長軸の周りを回転し始める。（例えば、流体の粘性及び孔のサイズにより決定可能な）角速度の一定の閾値を超えると、流体は、球粒９００が完全になくなるまで、球粒９００から出始め或いは所謂散在される。球粒９００は、送出パラメータ（例えば標的上の高さ、輸送手段の速度等）と共に（孔のサイズ、フィンの傾斜角度、流体の量及び種類等）を設計可能であり、球粒９００は標的への命中を最小限にするように標的に衝突する前に完全に空にされるようになっている。
【００３２】
図１０は本発明の幾つかの実施の形態に従ってディスペンサーを備える空中輸送手段を示す概略図である。空中輸送手段１０００はその底部側の翼のほぼ近くに収容能力を有しており、コンベヤー１０１０はその長軸に沿って配置される。容器１０２０はコンベヤー１０１０に沿って自由に移動可能である。上述した球粒又はここで説明した他の殻で覆われた部分を放出するため、容器１０２０は位置１０２０Ａから位置１０２０Ｂまでコンベヤー１０１０に沿って加速され、容器は突然完全に停止するようになる。その後、容器の扉は開放され、殻で覆われた部分又は球粒が容器から弾道的に押し出される。
【００３３】
図１１は本発明の幾つかの実施の形態に従ってディスペンサーを備える陸上輸送手段を示す概略図である。空中輸送手段について上述したディスペンサーと同様に、陸上輸送手段１１００のディスペンサーは、所定角度に到達するように傾斜されるコンベヤー１１１０と、ゆっくり前進した後に突然完全に停止する容器１１２０と、を含んでいる。コンベヤー１０１０は、容器１０２０に加えられる最小の加速力となると共に球粒の殻に影響を及ぼさないように十分に長くすべきである。コンベヤー１０１０の正確な長さは、殻の強度やその孔のサイズ及び数のような球粒の特性に基づき決定される。したがって、殻で覆われた部分は、飛行と標的の位置に基づき選択される垂直と水平の両方の速度により容器１１２０から放出される。
【００３４】
単なる例として、多数の飛行が本発明の実施の形態を使用して実施されることが分かる。一実施の形態では、飛行は原子炉を冷却することである。そのような任務では、十分に安全な距離が必要である。その時、粒状の氷が冷却のために使用される。別の実施の形態では、殻で覆われた部分が致命的ではない臭い物質や涙を誘う物質等を含む騒動をコントロールする任務である。消火では、２つタイプが上述したように（消火活動と消火剤）使用される。同様に、油流出処理では、１つの材料が溶解するために使用され、別の材料が油流出を取り囲み、その拡大を縮小させるために使用される。本発明の実施の形態の利点から、より多くの適用が有用である。
【００３５】
上記した説明において、実施の形態は本発明の例又は実行である。「一つの実施の形態」、「一実施の形態」又は「幾つかの実施の形態」は必ずしもすべて同一の実施の形態に当てはまるとは限らない。
【００３６】
単一の実施の形態の文脈で本発明の各種特徴が説明されているが、それらの特徴は別々に或いは適用な組合せにおいて提供されてもよい。反対に、本発明は明瞭のため別々の実施の形態の文脈でここに説明されているが、本発明は単一の実施の形態において実施されてもよい。さらに、本発明は、各種方法で実施又は実行可能であり、上記において概略したもの以外の実施の形態で実施可能であることが理解されるべきである。
【００３７】
本発明はそれらの図又は対応する説明に限定されるものではない。例えば、流れは、それぞれ示されたボックス又は状態、又は示され説明されたのとまったく同じ順序で進行される必要はない。
ここで使用される技術用語及び科学用語の意味は、別に定義されていない場合には、本発明が属する通常の技術分野により一般的に理解されるべきである。
【００３８】
本発明は限られた数の実施の形態に関して説明されているが、これらは本発明の範囲を限定するものと解釈されるべきではなく、むしろ好適な実施の形態の幾つかの典型的は具体例であると解釈されるべきである。他の可能な変形、変更、及び適用もまた本発明の範囲内である。
【図１】
0006640784.tif 000002
【図２】
0006640784.tif 000003
【図３】
0006640784.tif 000004
【図４】
0006640784.tif 000005
【図５】
0006640784.tif 000006
【図６】
0006640784.tif 000007
【図７】
0006640784.tif 000008
【図８】
0006640784.tif 000009
【図９】
0006640784.tif 000010
【図１０】
0006640784.tif 000011
【図１１】
0006640784.tif 000012